(57)【特許請求の範囲】
【請求項１】
カバー面と、該カバー面には流水孔を長手方向に沿って複数個形成すると共に、カバー面の上端を上方に突出した固定面と、カバー面の下端を躯体方向に突出した流水面と、該流水面の先端を上方に突出した防水面と、該防水面の先端を下方に垂下した裏面と、該裏面の下端をカバー面側に突出した底面と、該底面の先端を上方に突出した表面とから形成したことを特徴とする雨樋。
【発明の詳細な説明】
【０００１】
【発明の属する技術分野】
本発明は、新築屋根、屋根改修、雨樋改修時において軒先の美観性を向上すると共に、雨樋の機能を阻害することなく、樹木の枯れ葉等のゴミが雨樋に入るのを防止した雨樋に関するものである。
【０００２】
【従来の技術】
従来、雨樋には図２０に示すように、雨樋Ｐを吊り下げる機能を有する取付具Ｑ、雨樋Ｐを吊り下げる取付具Ｒは取付具Ｑを鼻隠しαに固定する機能も有する取付具であり、図ではちょうナットＳにより、固定位置が移動出来るようにした取付具を使用して、雨樋Ｐが使用されるのが普通である。
【０００３】
【発明が解決しようとする課題】
しかしながら、図２４に示すように形成された雨樋Ｐには、枯れ葉等のゴミＸが溜まり、掃除をして除去しないと、雨樋Ｐの機能が果たせなくなる欠点があった。また、この除去作業は危険を伴う作業であった。さらに、積雪時に雨樋Ｐに過大な荷重がかかり、雪により破壊されてしまうことがあった。
【０００４】
【課題を解決するための手段】
本発明はこのような欠点を除去するために、カバー面と、カバー面には流水孔を長手方向に沿って複数個形成すると共に、カバー面の上端を上方に突出した固定面と、カバー面の下端を躯体方向に突出した流水面と、流水面の先端を上方に突出した防水面と、防水面の先端を下方に垂下した裏面と、裏面の下端をカバー面側に突出した底面と、底面の先端を上方に突出した表面とから形成した雨樋を提供するものである。
【０００５】
【発明の実施の形態】
以下に図面を用いて、本発明に係る雨樋の一実施例について詳細に説明する。図１は雨樋Ａの施工状態の一例を示す斜視図、図２、図３は雨樋Ａの施工状態の一例を示す断面図、図４（ａ）、（ｂ）は雨樋Ａの一実施例を示す断面図であり、Ａは雨樋、Ｂは屋根材、Ｃは取付具、αは鼻隠し、βは固定具である。
【０００６】
雨樋Ａは図１、図２に示すように、一方向に傾斜してアール状に屈曲した曲面を有するカバー面１と、カバー面１の下端を内側方に突出した流水面２と、カバー面１の上端を上方に突出した固定面１ａと、カバー面１から流水面２に形成した流水孔４と、流水面２の先端を上方に突出した防水面３と、防水面３の先端を下方に垂下した裏面５と、裏面５の下端をカバー面１側に突出した底面６と、底面６の先端を上方に突出した表面７と、表面７の先端を内側方に下方に傾斜して突出した水切り面８とから形成したものである。素材としてはカラー鋼板の他、各種金属材料、合成樹脂材料を用いるもので、押出、ロールフォーミング、折曲げ、プレス加工、切り込み加工、打ち抜き加工、等の成形方法により形成するものである。
【０００７】
カバー面１は、図１〜図４（ａ）、（ｂ）に示すようにアール状に形成することにより、雨樋Ａ上に落ちてきた枯れ葉等のゴミＸが雨樋Ａ内に侵入せずに落下するように形成したものである。
【０００８】
固定面１ａは固定具βにより、屋根下地に雨樋Ａを固定するための部分である。
【０００９】
流水面２は、流水孔４から内部に侵入した雨Ｗを樋Ｄ内に流下させるために形成したものである。
【００１０】
防水面３は、流水孔４から内部に侵入した雨Ｗが雨樋Ａから外部に流れ出ないように形成したものである。
【００１１】
流水孔４は図１、図３、図４（ｂ）に示すように、雨樋Ａに孔を形成することにより、図３に示すように雨Ｗが雨樋Ａ内に落下すると共に、枯れ葉等のゴミＸが雨樋Ａ内に入らないように形成したものである。
【００１２】
このように形成することにより、雨Ｗの雨樋Ａへの流下が促進されると共に、枯れ葉等のゴミＸが雨樋Ａ内に入らないように出来るものである。また、２〜３段の形成で雨Ｗを内部に流下させる機能を有し、形成個数が少なくても済み、この点に置いても、内部へのゴミＸの浸入を阻止出来るものである。
【００１３】
裏面５、底面６、表面７により形成された空間は、屋根上に降った雨Ｗを排水するための樋Ｄの機能を果たすものである。
【００１４】
水切り面８は内方に傾斜して突出することにより、雨Ｗの水切れを良くするものであると共に、端部により怪我をしないように形成したものである。
【００１５】
取付具Ｃは図５（ａ）〜（ｄ）に示すように、固定片９、固定片９の下端を水位に突出した底片１０と、底片１０の先端を上方に突出した表片１１と、表片１１の先端を内方に傾斜して突出した係止片１２とから形成したものであり、図２、図３に示すように雨樋Ａの樋Ｄ部分を支持して固定するものである。勿論、取付具Ｃは長尺状でも良いものである。
【００１６】
また、流水孔４から内部に流下出来なかった雨Ｗは、カバー面１のコアンダ効果によってカバー面１のアールに沿って流下し、雨樋Ａ内部に流下するものである。なお、図３に２点差線で示すＥは雪であり、図のように、雨樋Ａに加重をかけずに自然に落下するものであり、雨樋Ａが破損することが無いものである。
【００１７】
勿論、カバー面１先端部分イから表面７間の水平距離は、０、マイナス（−）、あるいはプラス（＋）、のどの関係でも良いものである。
【００１８】
以上説明したのは、本発明に係る雨樋の一実施例にすぎず、図６〜図１９（ａ）〜（ｌ）に示すように雨樋Ａを形成しても良いものである。
【００１９】
図６、図７はカバー面１の流水孔４を部分的に形成した雨樋Ａを示すものであり、部分的（カバー面１の上面部分）に形成することにより、流水孔４による樋Ｄへの集水とカバー面１のコアンダ効果による樋Ｄへの集水を有効に活用した雨樋Ａである。
【００２０】
図８（ａ）〜（ｉ）は流水孔４のその他の実施例を示すものである。
【００２１】
なお、図８（ｆ）〜（ｉ）は流水孔４として、切り込みを形成して流水面４ａを形成したものである。
【００２２】
特に図８（ｇ）は流水孔４として上面を残して切り込みを形成し、この上面をアール状に湾曲させて形成した流水面４ａとすることにより、カバー面１上を流下してきた雨Ｗが、アール状の湾曲面に沿ってスムーズにカバー面１の裏面側に流れ込み、流水面４ａの先端から内部に流下するものである。
【００２３】
図１２（ａ）〜（ｄ）〜図１８（ａ）〜（ｄ）は雨樋Ａのその他の実施例を示す説明図である。
【００２４】
図１９（ａ）〜（ｌ）は取付具Ｃ、および雨樋Ａのその他の実施例を示す断面図である。
【００２５】
【発明の効果】
本発明に係る雨樋によれば、▲１▼重厚感のある軒先を形成出来、かつ軒先の美観性の向上が図れる。▲２▼雨樋内に枯れ葉等のゴミが溜まらない。▲３▼雨樋内の清掃が必要ないのでメンテナンスが容易である。▲４▼雨樋清掃時の危険を回避出来る。▲５▼縦樋の詰まりを防止出来る。▲６▼流水孔を長孔で千鳥状に形成することにより、流水孔の形成個数が少なくてもスムーズで確実な排水が可能である。▲７▼雨樋の機能と枯れ葉等のゴミの浸入防止機能の両機能を同時に可能とした。▲８▼積雪により破損されることがない。等の特徴、効果がある。
【図面の簡単な説明】
【図１】本発明に係る雨樋の一実施例を示す斜視図である。
【図２】本発明に係る雨樋の施工状態の一実施例を示す断面図である。
【図３】本発明に係る雨樋の施工状態の一実施例を示す断面図である。
【図４】本発明に係る雨樋の一実施例を示す断面図である。
【図５】本発明に係る雨樋の取付具の一実施例を示す断面図である。
【図６】本発明に係る雨樋のその他の実施例を示す斜視図である。
【図７】本発明に係る雨樋のその他の実施例を示す斜視図である。
【図８】本発明に係る雨樋のその他の実施例を示す説明図である。
【図９】本発明に係る雨樋のその他の実施例を示す説明図である。
【図１０】本発明に係る雨樋のその他の実施例を示す説明図である。
【図１１】本発明に係る雨樋のその他の実施例を示す説明図である。
【図１２】本発明に係る雨樋のその他の実施例を示す説明図である。
【図１３】本発明に係る雨樋のその他の実施例を示す説明図である。
【図１４】本発明に係る雨樋のその他の実施例を示す説明図である。
【図１５】本発明に係る雨樋のその他の実施例を示す説明図である。
【図１６】本発明に係る雨樋のその他の実施例を示す説明図である。
【図１７】本発明に係る雨樋のその他の実施例を示す説明図である。
【図１８】本発明に係る雨樋のその他の実施例を示す説明図である。
【図１９】本発明に係る雨樋の取付具のその他の実施例を示す説明図である。
【図２０】従来例を示す説明図である。
【符号の説明】
Ａ  雨樋
Ｂ  屋根材
Ｃ  取付具
Ｄ  樋
Ｅ  雪
Ｐ  雨樋
Ｑ  取付具
Ｒ  取付具
Ｓ  ちょうナット
Ｔ  固定片
Ｗ  雨
Ｘ  枯れ葉等のゴミ
α  鼻隠し
β  固定具
１  カバー面
１ａ  固定面
２  流水面
３  防水面
４  流水孔
４ａ  流水面
５  裏面
６  底面
７  表面
８  水切り面
９  固定片
１０  底片
１１  表片
１２  係止片
【図１】
0003873233.tif 000002
【図２】
0003873233.tif 000003
【図３】
0003873233.tif 000004
【図４】
0003873233.tif 000005
【図５】
0003873233.tif 000006
【図６】
0003873233.tif 000007
【図７】
0003873233.tif 000008
【図８】
0003873233.tif 000009
【図９】
0003873233.tif 000010
【図１０】
0003873233.tif 000011
【図１１】
0003873233.tif 000012
【図１２】
0003873233.tif 000013
【図１３】
0003873233.tif 000014
【図１４】
0003873233.tif 000015
【図１５】
0003873233.tif 000016
【図１６】
0003873233.tif 000017
【図１７】
0003873233.tif 000018
【図１８】
0003873233.tif 000019
【図１９】
0003873233.tif 000020
【図２０】
0003873233.tif 000021